(57)【要約】【課題】  安価で、かつ、容易に入手可能な耐土壌侵食性の高いファイバー材を用いた、植物生育土壌の少ない岩盤や法面等を緑化する緑化資材及びその緑化資材を用いた緑化工法を提供する。【解決手段】  法面を緑化する法面用緑化資材は、種子２０〜７０重量部、肥料２０〜７０重量部、及びファイバー材４〜２０重量部を備え、ファイバー材の重量比で半量ないし全量が水溶性紙材である。【選択図】図１
2016198100.tif 000002
【特許請求の範囲】
【請求項１】
法面を緑化する法面用緑化資材であって、
種子２０〜７０重量部、肥料２０〜７０重量部、及びファイバー材４〜２０重量部を備え、
前記ファイバー材の重量比で半量ないし全量が水溶性紙材である、法面用緑化資材。
【請求項２】
前記水溶性紙材は、トイレットペーパ材からなる、請求項１に記載の法面用緑化資材。
【請求項３】
法面を緑化する法面用緑化資材スラリーであって、
請求項１又は２に記載の法面用緑化資材１〜２重量比及び水８〜９重量比を含む、緑化資材スラリー。
【請求項４】
植物生育土壌の少ない岩盤や法面を緑化する法面緑化工法であって、
請求項３に記載の法面用緑化資材スラリーを前記岩盤や法面の窪み又は亀裂内に吹き付けることを含む、法面緑化工法。
【請求項５】
請求項３に記載の法面用緑化資材スラリーを、コンプレッサと、エアーホースと、法面用緑化資材タンクと、吹付用ホースとを用いて前記岩盤や法面の窪み又は亀裂内に吹き付けることを含む、請求項４に記載の法面緑化工法。
【請求項６】
前記法面用緑化資材タンク内に前記法面用緑化資材タンクの下部から圧縮空気を供給し、バブリングにより前記法面用緑化資材タンク内の前記法面用緑化資材スラリーを撹拌することを含む、請求項４又は請求項５に記載の法面緑化工法。
【請求項７】
請求項１又は２に記載の法面用緑化資材が窪み又は亀裂に吹き込まれてなる緑化法面。
【発明の詳細な説明】
【技術分野】
【０００１】
本発明は、植物生育土壌の少ない岩盤や法面等を緑化する法面用緑化資材、該法面用緑化資材を含む法面用緑化資材スラリー、該法面用緑化資材スラリーを用いる法面緑化工法、及び前記法面用緑化資材を用いて緑化した緑化法面に関するものである。
【背景技術】
【０００２】
露天採掘された鉱山の採掘後の最終残壁や、道路建設や土地造成等に伴って形成された岩盤や法面等は、植物生育基盤土壌が少ないか全く無く、その保護と景観を保持するために緑化用の芝や花卉類、樹木等を植生し、緑化が図られている。このような緑化工法の一つとして、バーク堆肥とピートモスを混合した土壌改良材に、植物の種子や高分子結合剤、肥料等を混合した植生基材を吹付機で法面上に吹き付ける吹付け工法が知られている。しかしながら、この吹付け工法は、植物生育土壌が多い法面への適用は有効であるが、植物生育土壌が少ない岩盤や法面に対しては、法面等の基盤安定材としての機能に欠けているため、法面上に吹き付けられた土壌改良材が降雨や風等により土壌浸食や飛散し、安定的に植物の発芽や生育させることが困難であり、緑化法面が得られなかった。
【０００３】
そこで、例えば、特許文献１には、木材パルプに叩解されてフイブリイ化されたピートモス、バーク等の有機質土壌改良剤をすき込むとともに、種子を混在させて乾燥し水分解性の薄層シートにした植生帯による緑化法面が開示されている。しかし、これらの植生帯を使用する法面等の緑化方法では、特に植物生育土壌の少ない岩盤や法面等で植生材料が降雨や風等による流失や飛散が減少するものの、植生帯の製造コストが高く、また、その植生帯を敷設する作業に多くの人手を要する問題があった。
【０００４】
一方、特許文献２では、耐土壌侵食性や種子発芽率の高い、バーク堆肥又はチップ材とケナフパルプからなる配合材を主成分とした植物生育基盤材を用いた緑化法面が提案されている。しかしながら、ケフナパルプは、特殊な資材であり一般には容易に入手することができない問題があった。
【０００５】
このため、安価で、かつ、容易に入手可能な耐土壌侵食性の高いファイバー材を用いた緑化法面が求められていた。
【先行技術文献】
【特許文献】
【０００６】
【特許文献１】特公平０３−６８９７１号公報
【特許文献２】特開２０００−３４２０５８号公報
【発明の概要】
【発明が解決しようとする課題】
【０００７】
本発明は、安価で、かつ、容易に入手可能な耐土壌侵食性の高いファイバー材を用いた、植物生育土壌の少ない岩盤や法面等をも緑化する法面用緑化資材及び法面用緑化資材を含む法面用緑化資材スラリー、該法面用緑化資材スラリーを用いる法面緑化工法、及び前記法面用緑化資材を用いて緑化された緑化法面を提供することを課題とする。
【課題を解決するための手段】
【０００８】
本発明において、法面を緑化する法面用緑化資材は、種子２０〜７０重量部、肥料２０〜７０重量部、及びファイバー材４〜２０重量部を備え、ファイバー材の重量比で半量ないし全量が水溶性紙材である、法面用緑化資材である。
【０００９】
水溶性紙は、容易に水に溶解し、緑化資材を水に分散したときに、緑化資材の分散状態を保持し、緑化資材を水に分散させた緑化資材が法面又は岩盤に吹き付けられて付着すると、緑化資材は法面等に定着して、適度な水分を保持し、種子の発芽を促すことができる。その結果、植物生育土壌の少ない岩盤や法面であっても、緑化法面とすることができる。
【００１０】
また、本発明において、法面を緑化する法面用緑化資材は、水溶性紙材は、トイレットペーパ材からなる、法面用緑化資材である。
【００１１】
トイレットペーパ材は、安価、かつ、容易に入手可能である。
【００１２】
本発明において、法面を緑化する法面用緑化資材スラリーは、法面用緑化資材１〜２重量比に対して、水８〜９重量比からなる法面用緑化資材スラリーである。
【００１３】
本発明に係る法面用緑化資材スラリーを用いれば、植物生育土壌の少ない岩盤や法面であっても、容易に法面を緑化することができる。
【００１４】
本発明において、植物生育土壌の少ない岩盤や法面を緑化する法面緑化工法は、法面用緑化資材スラリーを岩盤や法面の窪み又は亀裂内に吹き付ける緑化工法である。
【００１５】
本発明に係る法面用緑化工法を用いれば、植物生育土壌の少ない岩盤や法面であっても、安価で、かつ、容易に法面を緑化することができる。
【００１６】
また、本発明に係る法面緑化工法は、法面用緑化資材スラリーをコンプレッサと、エアーホースと、法面用緑化資材タンクと、吹付用ホースとを用いて岩盤や法面の窪み又は亀裂内に吹き付ける法面緑化工法である。
【００１７】
本発明に係る法面用緑化工法を用いれば、安価、かつ、容易に法面を緑化する作業を行うことができる。
【００１８】
また、本発明に係る法面緑化工法は、法面用緑化資材タンクの内部に法面用緑化資材タンクの下部から圧縮空気を供給し、バブリングにより法面用緑化資材タンク内の法面用緑化資材スラリーを撹拌することを含む、法面緑化工法である。
【００１９】
法面用緑化資材タンクの下部から圧縮空気を供給しバブリングすることにより、法面用緑化資材タンク内の法面用緑化資材スラリーを撹拌すると、法面緑化資材スラリーの懸濁状態が保たれ、確実に法面緑化資材スラリーを用いて法面を緑化することができる。
【００２０】
本発明において、緑化法面は、法面用緑化資材が窪み又は亀裂に吹き込まれてなる緑化法面である。
【００２１】
岩盤や法面の窪み又は亀裂に緑化資材スラリーが吹き込まれて法面緑化資材が付着すると、緑化資材の定着がより向上し、緑化が促進される。
【発明の効果】
【００２２】
本発明によれば、安価で、かつ、容易に入手可能なトイレットペーパ材を耐土壌侵食性の高いファイバー材として用いて、植物生育土壌の少ない岩盤や法面等を緑化する法面用緑化資材及びその法面用緑化資材を含む法面用緑化資材スラリー、該法面用緑化資材スラリーを用いる法面緑化工法、及び前記法面用緑化資材により緑化された緑化法面を提供することができる。
【図面の簡単な説明】
【００２３】
【図１】図１は、実施例に係る法面緑化資材により緑化された緑化法面の模式断面図である。
【図２】図２は、実施例に係る法面緑化資材により法面を緑化する法面緑化工法のフローチャートである。
【発明を実施するための形態】
【００２４】
以下、本発明の実施形態を、説明する。
【００２５】
先ず、図１に、本実施形態に係る緑化資材１３により緑化された緑化法面１１の模式断面を示す。緑化法面１１は、法面１２及び法面用緑化資材１３を備える。法面用緑化資材１３は、法面１２の表面に２〜１０ｍｍの厚みで付着している。
【００２６】
法面１２は、露天採掘された鉱山の採掘後の最終残壁や、道路建設や土地造成等に伴って形成された岩盤や法面等であり、この岩盤や法面等の土質には特に限定されない。植物生育土壌が少ないか全く無い岩盤であってもよく、或いは、普通土、砂質土、粘性土、レキ混じり土等でもよい。なお、法面１２に窪み１４や亀裂１５があると、法面１２に付着した緑化資材１３が定着し易く、好ましい。また、法面１２の傾斜角度にも限定されず、任意であり、傾斜角度が０°の平坦地にも適用可能である。
【００２７】
法面用緑化資材１３は、種子２０〜７０重量部、肥料２０〜７０重量部、及び、ファイバー材４〜２０重量部からなり、そのファイバー材の重量比で半分ないし全量が水溶性紙材からなる。種子は、木本類、在来草本類、及び外来草本類の種子類を1又は数種類配合したものであり、肥料は、種子の発芽及び生育に適した化学肥料や土壌改良材等を配合したものである。一方、ファイバー材は、その重量比で半量まで水溶性紙を置き換えて、法面１２の直物生育土壌の有無、勾配の程度によって木質パルプを適宜配合することが好ましい。
【００２８】
ファイバー材は、緑化資材１３を水に分散させてスラリー化し、法面１２に吹き付けて付着させる際に、緑化資材１３をスラリー中で分散状態を保持させ、法面１２にスラリーが吹き付けられると、法面１２の表面に付着した緑化資材１３を法面１２に定着させ、適度な水分を保持し、種子の発芽を促す役割を担うものである。ここで、ファイバー材が水溶性紙材であれば、容易に水に溶解し、適度な長さの繊維が容易に得られる。また、水溶性紙材がトイレットペーパ材であれば、より安価、かつ、容易に入手が可能であるとともに、緑化資材１３の定着性も高く、適度な水分保持に優れており、より好ましい。
【００２９】
なお、図１には、法面１２の表面に法面用緑化資材１３が定着し、一定期間が経過して、法面用緑化資材１３中の種子が発芽し、植物１６が生育し、緑化された状態を示している。
【００３０】
次に、本発明の法面用緑化資材１３を法面１２に付着させる方法を、図２のフローチャートを用いて説明する。
【００３１】
先ず、肥料溶解工程１０１では、法面用緑化資材１３に対して重量でその２〜４倍の水に、２０〜７０重量部となる肥料を投入し、撹拌の上、２４〜４８時間放置して、肥料を溶解する。
【００３２】
次に、水溶性紙溶解工程１０２では、法面用緑化資材１３に対して重量でその２〜４倍の水に、トイレットペーパを法面用緑化資材１３の５〜２０重量部となるように、手で千切って投入し、撹拌して、トイレットペーパを繊維状に溶解する。
【００３３】
種子混合工程１０３では、先ず、肥料溶解工程１０１で肥料を溶解した溶液に水溶性紙溶解工程１０２でトイレットペーパ材が溶解し繊維状となって懸濁する溶液を加える。更に、法面用緑化資材１３の２０〜７０重量部となる種子を、その溶液に投入し、十分に撹拌して繊維状となったトイレットペーパ材と種子を懸濁させながら法面用緑化資材１３に対して重量でその１〜３倍の水を加え、スラリー濃度を調整して、法面用緑化資材スラリーとする。なお、種子、肥料及びファイバー材の配合比率並びに水の量は、法面の植物植生土壌の有無、勾配の程度によって、適宜変更することが望ましい。
【００３４】
吹付け機準備工程１０４では、コンプレッサと緑化資材吹付タンク（以下、単に「タンク」ともいう。）の入気側をエアーホースで接続し、排気側に吹き付けホースを接続する。
【００３５】
次に、緑化資材吹付用タンク充填工程１０５では、緑化資材吹付用タンクに、法面用緑化資材スラリーを充填する。タンクの下部から、圧縮空気をタンク内に供給してバブリングさせると、タンク内の法面用緑化資材スラリーが撹拌され、懸濁状態が維持され好ましい。
【００３６】
そして、緑化資材吹付工程１０６では、コンプレッサから圧縮された圧縮空気を緑化資材吹付用タンクに送り込み、吹き付けホースの先端から、法面用緑化資材スラリーを噴出させ、法面１２に吹き付け、法面用緑化資材１３を法面１２に付着させる。このとき、法面１２に窪み１４や亀裂１５が有る場合には、この窪み１４や亀裂１５に法面用緑化資材１３が吹き込むようにすると、法面１２における法面用緑化資材１３の定着が良好となり、好ましい。
【００３７】
本発明において、法面用緑化資材１３を法面１２に吹き付け後、溶解した水溶性紙の繊維が相互に絡み合った状態で法面１２を２〜１０ｍｍの厚さの層で覆い、定着する。この層は、保水性に富み、乾燥を防止し、植物の種子の発芽や生育に好適な緑化資材として作用する。
【実施例】
【００３８】
以下、本発明の実施例について説明する。
【００３９】
実施例１
先ず、３９重量部となる肥料を、法面用緑化資材１３の２倍の水に、投入し、撹拌の後、２４時間放置し、肥料が溶解したことを確認した。また、ファイバー材としてトイレットペーパを法面用緑化資材１３の４重量部となるように、法面緑化資材１３の２倍の水に手で千切って投入し、撹拌の上トイレットペーパ材が溶解して繊維状となった溶液を、肥料が溶解した溶液に加え、十分に撹拌して懸濁させた。更に、法面用緑化資材１３の５７重量部となる種子を投入し、十分に撹拌しながら法面用緑化資材１３に対して重量で３倍の水を加えて、法面緑化資材スラリーとした。なお、種子としては、種子総重量に対してケンタッキートールフェスク３４重量部、ケンタッキーブルーグラス１４重量部、ホワイトクローバー２１重量部、ヤマハギ１７重量部、及びヨモギ１４重量部配合したものを用いた。また、肥料として、燐安系高度化成を用いた。次に、法面用緑化資材スラリーを、コンプレッサと緑化資材吹付タンクの入気側をエアーホースで接続し、排気側に吹き付けホースを接続した緑化資材吹付用タンクに充填した。このとき、タンク内に下部から圧縮空気を供給してバブリングして、法面緑化資材スラリーを撹拌し懸濁状態を維持した。そして、吹き付けホースの先端から、法面用緑化資材スラリー噴出させ、露天採掘された鉱山の採掘後の最終残壁である法面１２に吹き付け、法面緑化資材１３を法面１２に付着させて厚み２〜５ｍｍ前後の法面緑化資材１３からなる層を形成した。このとき、法面１２の窪み１４や亀裂１５には、法面用緑化資材１３が吹き込み、定着するようにした。
【００４０】
実施例２
実施例１と同じ工程で、ファイバー材としてトイレットペーパを法面用緑化資材１３の５重量部、法面用緑化資材１３の６６重量部となる種子、２９重量部となる肥料の割合で法面用緑化資材１３の５倍の水に、投入し、撹拌してスラリー化した上で、法面１２に吹き付け、厚み２〜５ｍｍ前後の緑化資材１３からなる層を形成した。なお、種子としては、種子総重量に対してケンタッキートールフェスク４２重量部、ケンタッキーブルーグラス２２重量部、ホワイトクローバー１６重量部、ヤマハギ１１重量部、及びヨモギ９重量部配合したものを用いた。また、肥料として、燐安系高度化成を用いた。
【００４１】
実施例３
実施例１と同じ工程で、ファイバー材としてトイレットペーパを法面用緑化資材１３の５重量部、法面用緑化資材１３の５９重量部となる種子、３６重量部となる肥料の割合で法面用緑化資材１３の６．５倍の水に、投入し、撹拌してスラリー化した上で、法面１２に吹き付け、厚み２〜５ｍｍ前後の緑化資材１３からなる層を形成した。なお、種子としては、種子総重量に対してケンタッキートールフェスク３８重量部、ケンタッキーブルーグラス１９重量部、ホワイトクローバー１９重量部、ヤマハギ１２重量部、及びヨモギ１２重量部配合したものを用いた。また、肥料として、燐安系高度化成を用いた。
【００４２】
実施例４
実施例１と同じ工程で、ファイバー材としてトイレットペーパを法面用緑化資材１３の７重量部、法面用緑化資材１３の２３重量部となる種子、７０重量部となる肥料の割合で法面用緑化資材１３の６倍の水に、投入し、撹拌してスラリー化した上で、法面１２に吹き付け、厚み２〜５ｍｍ前後の緑化資材１３からなる層を形成した。なお、種子としては、種子総重量に対してケンタッキートールフェスク４３重量部、ケンタッキーブルーグラス２２重量部、ホワイトクローバー１５重量部、ヤマハギ１１重量部、及びヨモギ９重量部配合したものを用いた。また、肥料として、燐安系高度化成を用いた。
【００４３】
実施例５
先ず、２７重量部となる肥料を、法面用緑化資材１３の２倍の水に、投入し、撹拌の後、２４時間放置し、肥料が溶解したことを確認した。また、ファイバー材としてトイレットペーパを法面用緑化資材１３の３重量部となるように、法面緑化資材１３の２倍の水に手で千切って投入し、撹拌の上、トイレットペーパ材が溶解して繊維状となった溶液を肥料が溶解した溶液に加え、十分に撹拌して懸濁させた。更に、法面用緑化資材１３の３８重量部となる種子をトイレットペーパ材が溶解して繊維状となって懸濁する溶液に投入し、十分に撹拌しながら法面用緑化資材１３に対して重量で１倍の水を加えて、第1回目吹付用の法面緑化資材スラリーとした。なお、種子としては、種子総重量に対してケンタッキートールフェスク３４重量部、ケンタッキーブルーグラス１４重量部、ホワイトクローバー２１重量部、ヤマハギ１７重量部、及びヨモギ１４重量部配合したものを用いた。また、肥料として、燐安系高度化成を用いた。次に、第１の実施例と同様に、法面用緑化資材スラリーを露天採掘された鉱山の採掘後の最終残壁である法面１２に吹き付け、法面緑化資材１３を法面１２に付着させて厚み２〜５ｍｍ前後の法面緑化資材１３からなる層を形成し、第１回目の法面用緑化資材１３の吹付とした。
【００４４】
第1回目の法面用緑化資材１３の吹き付けを行った１カ月後に、２７重量部となる肥料を、法面用緑化資材１３の１倍の水に、投入し、撹拌の後、２４時間放置し、肥料が溶解したことを確認した。また、ファイバー材としてトイレットペーパを法面用緑化資材１３の５重量部なるように、法面緑化資材１３の１倍の水に手で千切って投入し、撹拌上で、トイレットペーパ材が溶解して繊維化し懸濁した溶液を肥料が溶解した溶液に加え、十分に撹拌の上、第２回目の法面用緑化資材スラリーとした。そして、第１回目の法面用緑化資材１３の吹付とした法面に第２回目の法面用緑化資材スラリーを吹付け、追肥とした。なお、第１回目と第２回目の吹付により、法面用緑化資材１３は、肥料が５４重量部、ファイバー材が８重量部、及び、種子が３８重量部となった。
【００４５】
結果を下記表１にまとめる。実施例１〜５のいずれの場合も、法面用緑化資材１３は、法面１２が植物生育土壌の殆どない岩盤であるにもかかわらず、吹き付け後の法面１２への付着強度が強く、保水性に富む緑化資材１３の層が形成されていた。半年間の法面１２の緑化資材１３の層の状況を調べた結果、種子類の発芽や生育が良好で、植生が降雨や風等により流失や飛散することがないことが確認された。また、下記に説明する植生マット張工法を使用した比較例と比較しても、種子類の発芽状況や生育状況、及び法面用緑化資材１３の法面１２への付着強度においても遜色なく、実用性に優れていることが確認された。
【００４６】
以下、比較例について説明する。
【００４７】
比較例１
種子４重量部、肥料２６重量部、土壌改良材３４重量部、わら３６重量部からなる厚さ５〜１０ｍｍのマットを法面１２に配置し、アンカーピンを用いて法面１２に固定する植生マット張工法を比較例とした。施工６か月後の緑化法面１１の状況を調べた結果、種子類の発芽や生育が良好で、植生が降雨や風等により流失や飛散することがないことが確認された。
【００４８】
比較例２
法面緑化資材１３の３５重量部となる肥料を法面用緑化資材１３の２倍の水に投入し、撹拌の後、２４時間放置し、肥料が溶解したことを確認した。また、ファイバー材として、水溶性紙ではないが入手が容易な新聞紙の古紙を法面用緑化資材１３の５重量部となるように、手で千切って法面用緑化資材１３の２倍の水に投入し、２４時間水浸させた後、手で撹拌した。次に、肥料が溶解した溶液に古紙を投入した水を投入し、十分に撹拌の上、法面用緑化資材１３の６０重量部となる種子を溶液に投入し、更に、十分に撹拌してスラリー化した。その後、実施例１と同様に吹付け機を用いて吹付作業を試みた。
【００４９】
結果を下記表１にまとめる。比較例２は、古紙は十分に繊維がほぐれず、古紙の状態でスラリー中に残ってしまい、吹付けホース内に古紙が閉塞し、安定した吹付作業を行うことが困難であった。よって、水溶性紙ではない新聞紙などの古紙は、ファイバー材に適していないことが確認された。
【００５０】
【表１】
2016198100.tif 000003
【産業上の利用可能性】
【００５１】
本発明に係る緑化法面は、安価で、かつ、容易に入手可能なトイレットペーパを耐土壌侵食性の高いファイバー材として用いており、植物生育土壌の殆どない岩盤や法面等であっても、緑化することができる。
【符号の説明】
【００５２】
１１…緑化法面
１２…法面
１３…緑化資材
１４…窪み
１５…亀裂
１６…植生
１０１…肥料溶解工程
１０２…水溶性紙溶解工程
１０３…種子混合工程
１０４…吹付け機準備工程
１０５…緑化資材吹付タンク充填工程
１０６…緑化資材吹付工程
【図１】
2016198100.tif 000004
【図２】
2016198100.tif 000005